(57)【特許請求の範囲】
【請求項１】
デジタルテレビジョン信号を選局する選局手段と、
第１のデータレートで情報の送受信を行う第１の送受信手段と、
前記第１のデータレートより高い第２のデータレートで情報の送受信を行う第２の送受信手段と、
前記選局されたデジタルテレビジョン信号の変調方式を検出する変調方式検出手段とを有し、
前記検出された変調方式に従って前記第１及び第２の送受信手段を切り替える切り替え手段を備えた
ことを特徴とする無線伝送装置。
【請求項２】
請求項１記載の無線伝送装置において、
前記検出された変調方式が標準精細度のときは前記第１の送受信手段に切り替え、前記検出された変調方式が高精細度のときは前記第２の送受信手段に切り替えると共に、
前記送受信される信号のレベルを検出する信号レベル検出手段及び／または内蔵電池の残量を検出する電池残量検出手段を有し、
前記信号レベルが規定値以下または前記電池残量が規定値以下になったときは、前記検出された変調方式に係わらず前記第１の送受信手段に切り替える制御手段を備えた
ことを特徴とする無線伝送装置。
【請求項３】
デジタルテレビジョン信号を選局する選局手段と、第１及び第２のデータレートで情報の送受信を行う第１及び第２の送受信手段と、前記選局されたデジタルテレビジョン信号の変調方式を検出する変調方式検出手段と、前記検出された変調方式に従って前記第１及び第２の送受信手段を切り替える切り替え手段とを備えた無線伝送装置の制御方法であって、
前記検出された変調方式が標準精細度のときは前記第１の送受信手段に切り替え、前記検出された変調方式が高精細度のときは前記第２の送受信手段に切り替えると共に、
前記送受信される信号のレベル及び／または内蔵電池の残量を検出し、
前記信号レベルが規定値以下または前記電池残量が規定値以下になったときは、前記検出された変調方式に係わらず前記第１の送受信手段に切り替える
ことを特徴とする無線伝送装置の制御方法。
【発明の詳細な説明】
【０００１】
【発明の属する技術分野】
本発明は、例えば無線ＬＡＮシステムを用いてテレビジョン信号の伝送を行う場合に使用して好適な無線伝送装置及びその制御方法に関する。詳しくは、例えば無線ＬＡＮシステムで規定されるデータレートの異なる複数の送受信手段を内蔵し、これらを任意に切り替えて用いることで良好な運用が行われるようにするものである。
【０００２】
【従来の技術】
例えば無線ＬＡＮシステムを用いてテレビジョン信号の伝送を行う技術が開発されている。すなわち図４は、例えば無線ＬＡＮシステムを用いて従来のアナログテレビジョン信号の伝送を行う場合を示している。この図４において無線伝送装置４０は、親機である無線アクセスポイント装置４１と、子機である無線携帯端末装置４２とを有している。そしてこれらのアクセスポイント装置４１と携帯端末装置４２との間が、例えば無線ＬＡＮシステムを用いて接続されている。
【０００３】
さらにアクセスポイント装置４１では、例えば受信アンテナ（図示せず）から入力された受信信号がアナログテレビジョン用のチューナー（選局手段）４１１に供給される。そして受信信号中の所望のアナログテレビジョン信号が、チューナー４１１で中間周波信号にダウンコンバート（選局）された後、検波されて映像信号と音声信号として抽出される。さらにこれらの映像信号と音声信号がデジタルシグナルプロセッサ（以下、ＤＳＰと略称する）４１２に供給される。
【０００４】
ここでＤＳＰ４１２においては、上述のチューナー４１１から供給される映像信号と音声信号が無線伝送用の変調に最適な振幅値に変換される。さらに変換された振幅値データが、例えば無線ＬＡＮシステムで規定される２．４ＧＨｚ帯の送受信機４１３に供給される。そしてこの振幅値データは、送受信機４１３で符号化、変調されたのち無線周波信号にアップコンバートされ、電力増幅されてアンテナ４１４から無線伝送信号として送信される。
【０００５】
一方、携帯端末装置４２では、上述のアクセスポイント装置４１のアンテナ４１４から送信された無線伝送信号がアンテナ４２０で受信される。この受信信号が例えば２．４ＧＨｚ帯の送受信機４２１にてダウンコンバートされ、復調、復号を経て、ＤＳＰ４２２に振幅値データとして入力され、映像信号と音声信号に再生される。そして再生された映像信号は表示装置４２３に、音声信号はスピーカ４２４にそれぞれ出力される。
【０００６】
また、携帯端末装置４２にはコントロール部４２５が設けられ、このコントロール部４２５においては、選局チャンネルの変更等の制御を行うことができる。すなわち携帯端末装置４２のコントロール部４２５で操作された制御は、制御信号としてＤＳＰ４２２に入力され、上述のアナログテレビジョン信号とは逆の経路を辿ってアクセスポイント装置４１に伝送される。これによって携帯端末装置４２からアクセスポイント装置４１に対する制御が行われる。
【０００７】
なお上述のシステムは、例えば無線ＬＡＮの規格であるＩＥＥＥ８０２．１１ｂに準拠したものである。その場合に、使用される送受信周波数は２．４ＧＨｚであり、データレートは最大１１Ｍｂｐｓである。従って、例えば６Ｍｂｐｓ程度といわれる標準精細度のアナログテレビジョン信号であれば、充分にその映像信号と音声信号を伝送することが可能なものである。これによって、例えば無線ＬＡＮシステムを用いてテレビジョン信号の伝送を行うことができる。
【０００８】
【発明が解決しようとする課題】
ところで、近年実施が始まっているデジタルテレビジョン放送においては、従来と同様の標準精細度のテレビジョン信号に加えて、高精細度のテレビジョン信号の放送も行われている。その場合に、標準精細度のテレビジョン信号のデータレートは従来のアナログテレビジョン信号と同様に６Ｍｂｐｓ程度であるが、高精細度のテレビジョン信号のデータレートは２０Ｍｂｐｓにも達し、上述のＩＥＥＥ８０２．１１ｂの無線ＬＡＮの規格では伝送することができない。
【０００９】
これに対してＩＥＥＥ８０２．１１ａの無線ＬＡＮの規格が公表されている。
この規格によれば、使用される送受信周波数は５．２ＧＨｚであり、データレートは最大５４Ｍｂｐｓにもすることができる。従ってこの企画を採用することにより、例えば６Ｍｂｐｓの標準精細度のデジタルテレビジョン信号はもちろんのこと、例えば２０Ｍｂｐｓの高精細度のデジタルテレビジョン信号も伝送することが可能になる。
【００１０】
すなわち図５は、例えばＩＥＥＥ８０２．１１ａの無線ＬＡＮの規格を用いてデジタルテレビジョン信号の伝送を行う場合を示している。この図５において、無線伝送装置５０は、親機である無線アクセスポイント装置５１と、子機である無線携帯端末装置５２とを有している。そしてこれらのアクセスポイント装置５１と携帯端末装置５２との間が、例えばＩＥＥＥ８０２．１１ａの規格の無線ＬＡＮシステムを用いて接続されている。
【００１１】
さらにアクセスポイント装置５１では、例えば受信アンテナ（図示せず）から入力された受信信号がデジタルテレビジョン用のチューナー（選局手段）５１１に供給される。そして受信信号中の所望のデジタルテレビジョン信号が、チューナー５１１で中間周波信号にダウンコンバート（選局）された後、検波されて映像信号と音声信号として抽出される。さらにこれらの映像信号と音声信号がデジタルシグナルプロセッサ（以下、ＤＳＰと略称する）５１２に供給される。
【００１２】
ここでＤＳＰ５１２においては、上述のチューナー５１１から供給される映像信号と音声信号が無線伝送用の変調に最適な振幅値に変換される。さらに変換された振幅値データが、例えば無線ＬＡＮシステムで規定される５．２ＧＨｚ帯の送受信機５１３に供給される。そしてこの振幅値データは、送受信機５１３で符号化、変調されたのち無線周波信号にアップコンバートされ、電力増幅されてアンテナ５１４から無線伝送信号として送信される。
【００１３】
一方、携帯端末装置５２では、上述のアクセスポイント装置５１のアンテナ５１４から送信された無線伝送信号がアンテナ５２０で受信される。この受信信号が例えば５．２ＧＨｚ帯の送受信機５２１にてダウンコンバートされ、復調、復号を経て、ＤＳＰ５２２に振幅値データとして入力され、映像信号と音声信号に再生される。そして再生された映像信号は表示装置５２３に、音声信号はスピーカ５２４にそれぞれ出力される。
【００１４】
また、携帯端末装置５２にはコントロール部５２５が設けられ、このコントロール部５２５においては、選局チャンネルの変更等の制御を行うことができる。
すなわち携帯端末装置５２のコントロール部５２５で操作された制御は、制御信号としてＤＳＰ５２２に入力され、上述のデジタルテレビジョン信号とは逆の経路を辿ってアクセスポイント装置５１に伝送される。これによって携帯端末装置５２からアクセスポイント装置５１に対する制御が行われる。
【００１５】
なお上述のシステムは、例えば無線ＬＡＮの規格であるＩＥＥＥ８０２．１１ａに準拠したものである。その場合に、使用される送受信周波数は５．２ＧＨｚであり、データレートは最大５４Ｍｂｐｓである。従って、例えば２０Ｍｂｐｓの高精細度のデジタルテレビジョン信号であっても、充分にその映像信号と音声信号を伝送することが可能なものである。これによって、例えば無線ＬＡＮシステムを用いてデジタルテレビジョン信号の伝送を行うことができる。
【００１６】
ところが一般的に無線伝送では周波数が高い方が空中伝播減衰が大きいことが知られている。従って上述の規格においては、周波数５．２ＧＨｚによる送受信は、周波数２．４ＧＨｚによる送受信に比べて減衰量が大きく、同一条件下であれば周波数２．４ＧＨｚによる送受信の方が伝送効率が大きいことになる。このことは、例えば同一条件下であれば周波数２．４ＧＨｚによる送受信の方がより遠方まで届くことも意味している。
【００１７】
また上述の規格において、周波数５．２ＧＨｚによる送受信は、周波数２．４ＧＨｚによる送受信に比べて消費電力が大きくなることも知られており、すなわち同一条件下であれば、周波数２．４ＧＨｚによる送受信の方が電力効率が優れている。そしてこのような電力効率の問題は、例えば携帯端末装置５２においては、内蔵電池の消耗の進み具合が異なることを意味しているものである。さらに表示装置５２３においても高精細度の表示の方がより多くの電力を消費する。
【００１８】
この出願はこのような点に鑑みて成されたものであって、解決しようとする問題点は、従来の装置では、高精細度のデジタルテレビジョン信号の伝送を行うことができず、また送受信周波数の高い規格を用いた場合には、伝送効率が小さくなり、さらに消費電力が大きくなって、良好な無線伝送を安定に行うことができなかったというものである。
【００１９】
【課題を解決するための手段】
このため本発明においては、第１及び第２のデータレートで情報の送受信を行う第１及び第２の送受信手段と、これらの送受信手段を切り替える切り替え手段を備えるようにしたものであって、これによれば、必要に応じてデータレートが切り替えられるので、全体的な消費電力を少なくすることができると共に、必要なときには例えば精細度を犠牲にすることで、より安定な伝送が行われるようにすることもできる。
【００２０】
【発明の実施の形態】
すなわち本発明においては、デジタルテレビジョン信号を選局する選局手段と、第１のデータレートで情報の送受信を行う第１の送受信手段と、第１のデータレートより高い第２のデータレートで情報の送受信を行う第２の送受信手段と、選局されたデジタルテレビジョン信号の変調方式を検出する変調方式検出手段とを有し、検出された変調方式に従って第１及び第２の送受信手段を切り替える切り替え手段を備えてなるものである。
【００２１】
また、本発明においては、デジタルテレビジョン信号を選局する選局手段と、第１及び第２のデータレートで情報の送受信を行う第１及び第２の送受信手段と、選局されたデジタルテレビジョン信号の変調方式を検出する変調方式検出手段と、検出された変調方式に従って第１及び第２の送受信手段を切り替える切り替え手段とを備えた無線伝送装置の制御方法であって、検出された変調方式が標準精細度のときは第１の送受信手段に切り替え、検出された変調方式が高精細度のときは第２の送受信手段に切り替えると共に、送受信される信号のレベル及び／または内蔵電池の残量を検出し、信号レベルが規定値以下または電池残量が規定値以下になったときは、検出された変調方式に係わらず第１の送受信手段に切り替えてなるものである。
【００２２】
以下、図面を参照して本発明を説明するに、図１は本発明による無線伝送装置及びその制御方法を適用したデジタルテレビジョン信号の伝送システムの一実施形態の構成を示すブロック図である。
【００２３】
図１においては、例えばＩＥＥＥ８０２．１１ａ及びｂの両方の無線ＬＡＮの規格を用いてデジタルテレビジョン信号の伝送が行われる。この図１において、無線伝送装置１０は、親機である無線アクセスポイント装置１１と、子機である無線携帯端末装置１２とを有している。そしてこれらのアクセスポイント装置１１と携帯端末装置１２との間が、例えばＩＥＥＥ８０２．１１ａ及びｂの両方の規格の無線ＬＡＮシステムを用いて接続されている。
【００２４】
すなわちアクセスポイント装置１１では、例えば受信アンテナ（図示せず）から入力された受信信号がデジタルテレビジョン用のチューナー（選局手段）１１１に供給される。そして受信信号中の所望のデジタルテレビジョン信号が、チューナー１１１で中間周波信号にダウンコンバート（選局）された後、検波されて映像信号と音声信号として抽出される。さらにこれらの映像信号と音声信号がデジタルシグナルプロセッサ（以下、ＤＳＰと略称する）１１２に供給される。
【００２５】
また、チューナー１１１においては、例えば放送衛星を用いたデジタルテレビジョン放送に規定されたＴＭＣＣ（time multiplexing configuration control:伝送多重制御）信号が復号回路１１３にて復号される。このＴＭＣＣ信号には、例えば選局されたデジタルテレビジョン信号が、標準精細度のデジタルテレビジョン信号であるか、高精細度のデジタルテレビジョン信号であるかなどの情報も含まれている。そしてこの復号された情報がＤＳＰ１１２に供給される。
【００２６】
ここでＤＳＰ１１２においては、上述のチューナー１１１から供給される映像信号と音声信号に対して、ＴＭＣＣ信号から判別された精細度の情報に応じて、それぞれ無線伝送用の変調に最適な振幅値に変換される。そして変換された振幅値データが、例えば５．２ＧＨｚ帯の送受信機１１４、及び２．４ＧＨｚ帯の送受信機１１５に供給される。さらに、ＤＳＰ１１２内の制御部１１６にてＴＭＣＣ信号から判別された精細度の情報に応じて、送受信機１１４及び１１５の切り替え制御信号が形成される。
【００２７】
すなわち、上述のＴＭＣＣ信号から判別された精細度の情報が高精細度である場合には、例えば５．２ＧＨｚ帯の送受信機１１４が動作されると共に、映像信号と音声信号が例えば５．２ＧＨｚ帯の無線伝送用の変調に最適な振幅値に変換される。また、精細度の情報が標準精細度である場合には、例えば２．４ＧＨｚ帯の送受信機１１５が動作されると共に、映像信号と音声信号が例えば２．４ＧＨｚ帯の無線伝送用の変調に最適な振幅値に変換される。
【００２８】
そして上述の切り替え制御信号に応じて、例えばＤＳＰ１１２からの振幅値データは、送受信機１１４で符号化、変調されたのち無線周波信号にアップコンバートされ、電力増幅されてアンテナ１１７から無線伝送信号として送信される。
あるいはＤＳＰ１１２からの振幅値データは、送受信機１１５で符号化、変調されたのち無線周波信号にアップコンバートされ、電力増幅されてアンテナ１１８から無線伝送信号として送信される。
【００２９】
一方、携帯端末装置１２では、上述のアクセスポイント装置１１のアンテナ１１７から送信された無線伝送信号がアンテナ１２０で受信される。この受信信号が例えば５．２ＧＨｚ帯の送受信機１２１にてダウンコンバートされて復調、復号される。また、アクセスポイント装置１１のアンテナ１１８から送信された無線伝送信号がアンテナ１２２で受信される。この受信信号が例えば２．４ＧＨｚ帯の送受信機１２３にてダウンコンバートされて復調、復号される。
【００３０】
さらにこれらの送受信機１２１及び１２３にて復調、復号された信号が、ＤＳＰ１２４に振幅値データとして入力され、映像信号と音声信号に再生される。なお送受信機１２１及び１２３にて復調、復号される信号には、相互に送受信機１２１及び１２３の切り替えを決定する制御信号等も含まれており、この制御信号に従って送受信機１２１及び１２３の動作が制御される。そして再生された映像信号は表示装置１２５に、音声信号はスピーカ１２６にそれぞれ出力される。
【００３１】
また、携帯端末装置１２にはコントロール部１２７が設けられ、このコントロール部１２７においては、選局チャンネルの変更等の制御を行うことができる。
すなわち携帯端末装置１２のコントロール部１２７で操作された制御は、制御信号としてＤＳＰ１２４に入力され、上述のデジタルテレビジョン信号とは逆の経路を辿ってアクセスポイント装置１１に伝送される。これによって携帯端末装置１２からアクセスポイント装置１１に対する制御が行われる。
【００３２】
なお上述のシステムは、例えば無線ＬＡＮの規格であるＩＥＥＥ８０２．１１ａ及びｂに準拠したものである。その場合に、１１ａの規格の送受信周波数は５．２ＧＨｚであって、例えば高精細度のデジタルテレビジョン信号の映像信号と音声信号を伝送することが可能なものである。また１１ｂの規格の送受信周波数は２．４ＧＨｚであって、例えば標準精細度のデジタルテレビジョン信号の映像信号と音声信号を伝送することが可能なものである。
【００３３】
そしてこの装置においては、例えば選局されたデジタルテレビジョン信号の精細度の情報が高精細度であるときだけ、例えば５．２ＧＨｚ帯の送受信機１１４が動作され、精細度の情報が標準精細度であるときには、例えば２．４ＧＨｚ帯の送受信機１１５が動作される。これによって、例えば消費電力の大きくなる高い周波数（５．２ＧＨｚ）での送受信の機会を減少させ、装置全体の消費電力を削減することができる。
【００３４】
また、例えば携帯端末装置１２側で高精細度のデジタルテレビジョン信号の映像信号と音声信号の受信を行っている際に、伝送状態が不安定な場合には、例えばコントロール部１２７において送受信周波数を２．４ＧＨｚに切り替える操作を行うことにより、この制御信号がアクセスポイント装置１１に伝送され、アクセスポイント装置１１に対して、ＴＭＣＣ信号から判別された精細度の情報に係わらず送受信周波数を２．４ＧＨｚに切り替える制御が行われる。
【００３５】
これによって、伝送状態が不安定な場合には、例えば伝送効率の大きい低い周波数（２．４ＧＨｚ）での送受信とするこことにより、安定な伝送状態を得ることができる。なお、このときアクセスポイント装置１１のＤＳＰ１１２では、例えば高精細度の映像信号を、間引き等によって標準精細度の映像信号に変換する処理が併せて行われる。すなわち例えば映像信号の精細度を犠牲にすることで、より安定な伝送が行われるようにすることができるものである。
【００３６】
従ってこの実施形態において、第１及び第２のデータレートで情報の送受信を行う第１及び第２の送受信手段と、これらの送受信手段を切り替える切り替え手段を備えるようにしたことによって、必要に応じてデータレートが切り替えられるので、全体的な消費電力を少なくすることができると共に、必要なときには例えば精細度を犠牲にすることで、より安定な伝送が行われるようにすることもできる。
【００３７】
これによって、従来の装置では、高精細度のデジタルテレビジョン信号の伝送を行うことができず、また送受信周波数の高い規格を用いた場合には、伝送効率が小さくなり、さらに消費電力が大きくなって、良好な無線伝送を安定に行うことができなかったものを、本発明によればこれらの問題点を容易に解消することができるものである。
【００３８】
さらに図２を用いて、本発明による無線伝送装置及びその制御方法を適用したデジタルテレビジョン信号の伝送システムの他の実施形態について説明する。なお図２は、本発明による無線伝送装置及びその制御方法を適用したデジタルテレビジョン信号の伝送システムの他の実施形態の構成を示すブロック図である。また、以下の説明で、上述の図１の実施形態と対応する部分には同一の符号を附して重複の説明を省略する。
【００３９】
すなわち図２においては、例えば上述の段落〔００３５〕で述べた「携帯端末装置１２側で高精細度のデジタルテレビジョン信号の映像信号と音声信号の受信を行っている際に、伝送状態が不安定な場合には、例えばコントロール部１２７において送受信周波数を２．４ＧＨｚに切り替える操作を行う」等の制御を自動的に行わせるようにするものである。
【００４０】
そこで図２において、例えば携帯端末装置１２には受信信号レベル検出回路１２８が設けられる。またこの他に、電池残量検出回路１２９等も設けられる。そしてこれらの受信信号レベル検出回路１２８や電池残量検出回路１２９等からの検出信号がＤＳＰ１２４に入力され、上述のデジタルテレビジョン信号とは逆の経路を辿ってアクセスポイント装置１１に伝送される。なおこの伝送は、例えばＩＥＥＥ８０２．１１ａ及びｂに準拠して行うことができるものである。
【００４１】
そしてこのような検出信号に対して、例えば図３に示すようなフローチャートに従って制御が行われる。すなわち図３において、動作が開始されると、まずステップ〔１〕でデジタルテレビジョン信号が受信される。また、ステップ〔２〕で受信信号の変調方式が検出される。なおこの検出は、例えば上述のＴＭＣＣ復号回路１１３で復号されたＴＭＣＣ信号に基づくものであり、選局されたデジタルテレビジョン信号の精細度の情報等を含んでいるものである。
【００４２】
さらにステップ〔３〕で、選局されたデジタルテレビジョン信号の精細度の情報が高精細度を示しているか否か判断される。すなわちこの判断は、例えば上述のＴＭＣＣ復号回路１１３で復号されたＴＭＣＣ信号に基づいて行われるものである。そしてこの判断で選局されたデジタルテレビジョン信号の精細度の情報が高精細度を示していないとき（Ｎｏ）は、ステップ〔４〕に進められて、例えば２．４ＧＨｚ帯の送受信機１１５による無線伝送が行われる。
【００４３】
また、ステップ〔３〕の判断で選局されたデジタルテレビジョン信号の精細度の情報が高精細度を示しているとき（Ｙｅｓ）はステップ〔５〕に進められる。
このステップ〔５〕では、上述の携帯端末装置１２から伝送された電池残量の検出信号に従って電池残量の確認が行われる。さらにステップ〔６〕で、電池残量が任意の閾値を越えているか否か判断される。そして電池残量が任意の閾値を越えていないとき（Ｎｏ）は、ステップ〔４〕に進められて、例えば２．４ＧＨｚ帯の送受信機１１５による無線伝送が行われる。
【００４４】
さらにステップ〔６〕で電池残量が任意の閾値を越えているとき（Ｙｅｓ）はステップ〔７〕に進められる。このステップ〔７〕では、上述の携帯端末装置１２から伝送された受信レベル電池残量の検出信号に従って受信レベルの確認が行われる。また、ステップ〔８〕で、受信レベルが任意の閾値を越えているか否か判断される。そして受信レベルが任意の閾値を越えていないとき（Ｎｏ）は、、ステップ〔４〕に進められて、例えば２．４ＧＨｚ帯の送受信機１１５による無線伝送が行われる。
【００４５】
これに対してステップ〔８〕で受信レベルが任意の閾値を越えているとき（Ｙｅｓ）はステップ〔９〕に進められる。そしてこのステップ〔９〕においては、例えば５．２ＧＨｚ帯の送受信機１１４による無線伝送が行われる。
【００４６】
すなわちこのフローチャートにおいて、選局されたデジタルテレビジョン信号の精細度の情報が高精細度を示し、電池残量が任意の閾値を越え、さらに受信レベルが任意の閾値を越えているときのみ、例えば５．２ＧＨｚ帯の送受信機１１４による無線伝送が行われる。従って、例えば伝送状態が不安定な場合には、伝送効率の大きい低い周波数（２．４ＧＨｚ）での送受信とするこことにより、安定な伝送状態を得ることができる。
【００４７】
また、例えば電池残量が少なくなった場合には、電力消費の少ない低い周波数（２．４ＧＨｚ）での送受信とするこことにより、より長時間にわたって無線伝送を行うことができる。このようにして例えば映像信号の精細度を犠牲にすることで、より安定な伝送が行われるようにすることができるものである。なお、上述の動作は、例えば一定の時間ごとに繰り返し行われる。これにより、時間経過による伝送状態の変動や電池の消耗等にも対処することができる。
【００４８】
こうして上述の無線伝送装置によれば、デジタルテレビジョン信号を選局する選局手段と、第１のデータレートで情報の送受信を行う第１の送受信手段と、第１のデータレートより高い第２のデータレートで情報の送受信を行う第２の送受信手段と、選局されたデジタルテレビジョン信号の変調方式を検出する変調方式検出手段とを有し、検出された変調方式に従って第１及び第２の送受信手段を切り替える切り替え手段を備えることにより、全体的な消費電力を少なくすることができると共に、必要なときには例えば精細度を犠牲にすることで、より安定な伝送が行われるようにすることもできるものである。
【００４９】
また、上述の無線伝送装置の制御方法によれば、デジタルテレビジョン信号を選局する選局手段と、第１及び第２のデータレートで情報の送受信を行う第１及び第２の送受信手段と、選局されたデジタルテレビジョン信号の変調方式を検出する変調方式検出手段と、検出された変調方式に従って第１及び第２の送受信手段を切り替える切り替え手段とを備えた無線伝送装置の制御方法であって、検出された変調方式が標準精細度のときは第１の送受信手段に切り替え、検出された変調方式が高精細度のときは第２の送受信手段に切り替えると共に、送受信される信号のレベル及び／または内蔵電池の残量を検出し、信号レベルが規定値以下または電池残量が規定値以下になったときは、検出された変調方式に係わらず第１の送受信手段に切り替えることにより、全体的な消費電力を少なくすることができると共に、必要なときには例えば精細度を犠牲にすることで、より安定な伝送が行われるようにすることもできるものである。
【００５０】
なお本発明は、上述の説明した実施の形態に限定されるものではなく、本発明の精神を逸脱することなく種々の変形が可能とされるものである。
【００５１】
【発明の効果】
従って請求項１の発明によれば、第１及び第２のデータレートで情報の送受信を行う第１及び第２の送受信手段と、これらの送受信手段を切り替える切り替え手段を備えるようにしたことによって、必要に応じてデータレートが切り替えられるので、全体的な消費電力を少なくすることができると共に、必要なときには例えば精細度を犠牲にすることで、より安定な伝送が行われるようにすることもできものである。
【００５２】
また、請求項２の発明によれば、検出された変調方式が標準精細度のときは第１の送受信手段に切り替え、検出された変調方式が高精細度のときは第２の送受信手段に切り替えると共に、送受信される信号のレベルを検出する信号レベル検出手段及び／または内蔵電池の残量を検出する電池残量検出手段を有し、信号レベルが規定値以下または電池残量が規定値以下になったときは、検出された変調方式に係わらず第１の送受信手段に切り替える制御手段を備えたことによって、送受信手段に切り替えを自動的に行うことができるものである。
【００５３】
さらに請求項３の発明によれば、第１及び第２のデータレートで情報の送受信を行う第１及び第２の送受信手段を有し、これらの送受信手段を検出信号を用いて切り替えるようにしたことによって、必要に応じてデータレートが切り替えられるので、全体的な消費電力を少なくすることができると共に、必要なときには例えば精細度を犠牲にすることで、より安定な伝送が行われるようにすることもでき、さらに送受信手段の切り替えを自動的に行うことができるものである。
【００５４】
これによって、従来の装置では、高精細度のデジタルテレビジョン信号の伝送を行うことができず、また送受信周波数の高い規格を用いた場合には、伝送効率が小さくなり、さらに消費電力が大きくなって、良好な無線伝送を安定に行うことができなかったものを、本発明によればこれらの問題点を容易に解消することができるものである。
【図面の簡単な説明】
【図１】本発明による無線伝送装置及びその制御方法を適用したデジタルテレビジョン信号の伝送システムの一実施形態の構成を示すブロック図である。
【図２】本発明による無線伝送装置及びその制御方法を適用したデジタルテレビジョン信号の伝送システムの他の実施形態の構成を示すブロック図である。
【図３】その動作の説明のためのフローチャート図である。
【図４】従来の伝送システムのブロック図である。
【図５】従来の伝送システムのブロック図である。
【符号の説明】
１０…無線伝送装置、１１…無線アクセスポイント装置、１２…無線携帯端末装置、１１１…デジタルテレビジョン用チューナー、１１２，１２４…デジタルシグナルプロセッサ、１１３…ＴＭＣＣ信号復号回路、１１４…５．２ＧＨｚ帯の送受信機、１１５…２．４ＧＨｚ帯の送受信機、１１６…制御部、１１７，１１８，１２０，１２２…アンテナ、１２１…５．２ＧＨｚ帯の送受信機、１２３…２．４ＧＨｚ帯の送受信機、１２５…表示装置、１２６…スピーカ、１２７…コントロール部、１２８…受信信号レベル検出回路、１２９…電池残量検出回路
【図１】
0003864830.tif 000002
【図２】
0003864830.tif 000003
【図３】
0003864830.tif 000004
【図４】
0003864830.tif 000005
【図５】
0003864830.tif 000006